(57)【要約】  【課題】本発明は、カラオケ設備における管理ルームや歌唱ルームのそれぞれに備えられるインターホン間での送受話を行うインターホンシステムに関し、カラオケ施設における歌唱ルーム内の音量の如何に関わらず通話性の向上を安価に図ることを目的とする。  【解決手段】カラオケ施設内にはインターホン通信網１４が構築され、カラオケルームに設置されたカラオケ演奏装置２２にはミキシングアンプに対して操作された演奏楽曲の音量レベル信号を出力する信号出力手段を備えるもので、カラオケルームに設置されてインターホン通信網１４に接続されるルームインターホン２３の受話音量設定手段３９が入力される音量レベル信号に基づいて受話音量を調整する構成とする。  【選択図】  図２
2006339828.tif 000002
【特許請求の範囲】
【請求項１】
管理ルームおよび所定数の歌唱ルームを備えるカラオケ施設内に構築される送受話のためのインターホン通信網と、
前記カラオケ施設内のそれぞれの歌唱ルームに設置され、歌唱者の要求に応じて対応の楽曲映像を表示手段に表示させると共に、増幅手段を介して対応の演奏楽曲を可変自在な音量でスピーカより出力させる通常のカラオケ機能を有し、当該増幅手段に対して操作された演奏楽曲の音量レベル信号を出力する信号出力手段を備えるカラオケ演奏装置と、
前記カラオケ施設の管理ルームに設置されて前記インターホン通信網に接続される管理側インターホンと、
前記カラオケ施設のそれぞれの歌唱ルームに設置されて前記インターホン通信網に接続されるもので、前記カラオケ演奏装置の前記信号出力手段より入力される前記音量レベル信号に基づいて受話音量を調整する受話音量設定手段を備えるルームインターホンと、
を有することを特徴とするカラオケ施設のインターホンシステム。
【請求項２】
請求項１記載のカラオケ施設のインターホンシステムであって、前記カラオケ演奏装置の信号出力手段は、前記演奏楽曲のスピーカ出力時にのみ前記音量レベル信号を出力することを特徴とするカラオケ施設のインターホンシステム。
【請求項３】
請求項１または２記載のカラオケ施設のインターホンシステムであって、前記ルームインターホンの受話音量設定手段は、入力される前記音量レベル信号に比例させて受話音量を調整することを特徴とするカラオケ施設のインターホンシステム。
【発明の詳細な説明】
【技術分野】
【０００１】
本発明は、カラオケ設備における管理ルームや歌唱ルームのそれぞれに備えられるインターホン間での送受話を行うインターホンシステムに関する。
【背景技術】
【０００２】
近年、カラオケ施設が至るところで開業されてきているなかで、当該施設内では複数の歌唱ルームが仕切られて管理ルームとの間で互いにインターホンにより必要内容の通話を行っているのが一般的である。この場合、歌唱ルーム内では歌唱や演奏の音量によって聞き取りにくくなることから、音量の如何に関わらず通話性の向上を安価に図ることが望まれている。
【０００３】
一般に、インターホン同士の通話は、騒音等の周囲の音量が大きいと相手側からの通話内容が聞き取りにくくなる。そのため、周囲の音量に対しても通話内容や呼び出しを聞き取りやすくする手法が、以下の特許文献で提案されている。
【０００４】
下記特許文献１には、通話時に話し手の声量を自動調整し、聞き手に聞こえる声量が常に一定になるようなインターホンシステムが開示されており、具体的には、ロビーインターホンと、警報監視盤と、宅内インターホンとの間で、音声信号を増幅するアンプとを介して通話を行うものとして、通話用マイクに入力された話し手の声量を検出する検出回路と、当該検出回路が検出したレベルに基づき通話用スピーカーから出力される声量を所定のレベルにするためにアンプの利得を調整する利得調整回路とを有する通話音量自動調整回路を備えたものである。
【０００５】
また、下記特許文献２には、親機の周囲状況により親機から鳴動させる呼出音の音量を最適な音量に自動調節するためのインターホン装置が開示され、具体的には、玄関子機から親機を呼出して拡声スピーカから呼出音を鳴動させ、相互に通話のできるインターホン装置であって、親機は、玄関子機からの呼出時に人体感知センサで親機周辺の人の有無および騒音レベル検出回路で親機周辺の周囲騒音のレベルを検出して電子ボリュームを制御することにより拡声スピーカからの呼出音量を調節するためのＣＰＵを有する構成が開示されている。
【０００６】
【特許文献１】特開２００４−２０７８５５号公報
【特許文献２】特開２００２−２６１９４５号公報
【発明の開示】
【発明が解決しようとする課題】
【０００７】
ところで、上述のようにカラオケ施設における歌唱ルーム内では、音量を大として演奏や歌唱の迫力を増して楽しむことが一般的であり、当該歌唱ルーム内でインターホンを使用する場合に通話内容が聞き取りにくくなる傾向にある。しかしながら、これらカラオケ施設のインターホンシステムに上記特許文献１を適用させることがでない。すなわち、特許文献１記載の通話音量自動調整回路では話し手の声量を検出することから、カラオケ施設の歌唱ルーム内では演奏音や歌唱者の声量をも検出されることとなり、これらを分離させなければ適用することが困難であり、かつコスト高を招き、結局は適用することができないという問題がある。
【０００８】
一方、カラオケ施設のインターホンシステムに上記特許文献２記載の呼出音に関する技術を応用させることは可能であるが、人体監視センサや騒音レベル検出回路を新たに配設しなければならないこととなって既存のシステムに容易に適用することができず、コスト高を招くという問題がある。
【０００９】
そこで、本発明は上記課題に鑑みなされたもので、カラオケ施設における歌唱ルーム内の音量の如何に関わらず通話性の向上を安価に図るインターホンシステムを提供することを目的とする。
【課題を解決するための手段】
【００１０】
上記課題を解決するために、請求項１の発明では、管理ルームおよび所定数の歌唱ルームを備えるカラオケ施設内に構築される送受話のためのインターホン通信網と、前記カラオケ施設内のそれぞれの歌唱ルームに設置され、歌唱者の要求に応じて対応の楽曲映像を表示手段に表示させると共に、増幅手段を介して対応の演奏楽曲を可変自在な音量でスピーカより出力させる通常のカラオケ機能を有し、当該増幅手段に対して操作された演奏楽曲の音量レベル信号を出力する信号出力手段を備えるカラオケ演奏装置と、前記カラオケ施設の管理ルームに設置されて前記インターホン通信網に接続される管理側インターホンと、前記カラオケ施設のそれぞれの歌唱ルームに設置されて前記インターホン通信網に接続されるもので、前記カラオケ演奏装置の前記信号出力手段より入力される前記音量レベル信号に基づいて受話音量を調整する受話音量設定手段を備えるルームインターホンと、を有する構成とする。
【００１１】
請求項２、３の発明では、「前記カラオケ演奏装置の信号出力手段は、前記演奏楽曲のスピーカ出力時にのみ前記音量レベル信号を出力する」構成であり、
「前記ルームインターホンの受話音量設定手段は、入力される前記音量レベル信号に比例させて受話音量を調整する」構成である。
【発明の効果】
【００１２】
本発明によれば、カラオケ施設内にはインターホン通信網が構築され、歌唱ルームに設置されたカラオケ演奏装置には増幅手段に対して操作された演奏楽曲の音量レベル信号を出力する信号出力手段を備えるもので、歌唱ルームに設置されてインターホン通信網に接続されるインターホンの備える受話音量設定手段が入力される音量レベル信号に応じて受話音量を調整する構成とすることにより、歌唱ルーム内の音量の如何に関わらず通話性を向上させることができ、新たにセンサや検出回路を設けることなく既存の設備の範囲内で適用することができ、安価に構成させることができるものである。
【発明を実施するための最良の形態】
【００１３】
以下、本発明の最良の実施形態を図により説明する。
図１に、本発明に係るカラオケ施設のインターホンシステムにおける全体構築の構成図を示す。図１において、インターホンシステム１１は、カラオケ施設内に管理ルーム（応接のフロント等を含む）１２および所定数の歌唱ルームであるカラオケルーム１３が仕切られており、当施設内にはインターホン通信網１４が構築される。上記管理ルーム１２には管理側インターホン２１が設置され、インターホン通信網１４に接続される。
【００１４】
上記カラオケルーム１３には、それぞれカラオケ演奏装置２２およびルームインターホン２３が設置されるもので、カラオケ演奏装置２２は、歌唱者の要求に応じて対応の楽曲映像を表示手段に表示させると共に、増幅手段（ミキシングアンプ）を介して対応の楽曲を可変自在な音量でスピーカより出力させる通常のカラオケ機能を有し、当該増幅手段に対して操作された音量レベル信号を出力する信号出力手段を備える（図３で説明するが、本実施形態では演奏楽曲のスピーカ出力時にのみ音量レベル信号を出力するものとする）。
【００１５】
上記ルームインターホン２３は、インターホン通信網１４に接続されるもので、上記カラオケ演奏装置２２の信号出力手段より入力される音量レベル信号に基づいて受話音量を調整する受話音量設定手段を備えるものである（図２で説明する）。なお、カラオケ演奏装置２２の上記信号出力手段は、演奏楽曲等がスピーカより出力されていないときには、当該ルームインターホン２３に対して無調整信号を出力するものとする。
【００１６】
ここで、図２に、図１のルームインターホンのブロック構成図を示す。図２において、ルームインターホン２３は、送受話のための制御回路３１、増幅回路３２、通信回路３３、呼出用スピーカ３４、送受話器３５（受話スピーカ３６、送話マイク３７）および送受話フック３８を備えるもので、従前のインターホンの構成部分と同様であり、説明を省略する。この場合、制御回路３１および増幅回路３２が本発明に関連する部分で機能が付加される。また、ルームインターホン２３は、受話音量設定手段である受話音量設定回路３９、インタフェース回路４０および外部入力端子４０Ａを備える。
【００１７】
ここで、上記外部入力端子４０Ａは、後述のカラオケ演奏装置２２の信号出力手段（図３に示す外部端子）と信号線で接続され、インタフェース回路４０を介して無調整信号または音量レベル信号を入力する。そして、上記受話音量設定回路３９が、カラオケ演奏装置２２の信号出力手段（後述の外部端子）に接続されて入力される無調整信号または音量レベル信号に基づいて受話音量を調整するためのレベル信号を生成する。
【００１８】
例えば、無調整信号を入力した場合の利得設定のためのレベル信号は予め基準値として定めた基準増幅の利得とし、音量レベル信号を入力した場合の利得設定のためのレベル信号は当該基準増幅利得を基準に当該音量レベルに比例した利得とする。この場合、制御回路３１は、受話音量設定回路３９からのレベル信号に基づいて増幅回路３２の利得設定信号を生成し、増幅回路３２に設けられる利得可変素子（例えばトランジスタ等）を制御して増幅回路３２からの出力音量を変化させるものである。
【００１９】
すなわち、上記ルームインターホン２３は、まず、カラオケ演奏装置２２より入力された無調整信号または音量レベル信号に基づいて上記のように受話音量設定回路３９において受話音量を設定するレベル信号で増幅回路３２の利得が設定される。そして、例えば管理側インターホン２１よりインターホン通信網１４を介して呼び出しがあると、当該呼出信号が通信回路３３を介して制御回路３１に入力され、増幅回路３２を介して呼出用スピーカ３４より呼出音を出力させる。
【００２０】
そこで、カラオケルーム１３側の客が送受話器３５を取ることによって送受話フック３８がスイッチング（オンスイッチング、オフスイッチングのいずれでもよい）され、送受話器３５の受話スピーカ３６および送話マイク３７より通話可能となる。この場合、入力した上記無調整信号または音量レベル信号に基づいた利得で増幅回路３２が受話音量を増幅させるものである。ここでは、音量レベル信号を入力した場合に、増幅回路３２の利得を当該音量レベル信号に比例させて上記基準増幅利得より高くする。当該音量レベル信号をレベル値として適宜受話音量設定回路３９で記憶させておいてもよい。なお、比例とは、音量レベル信号と受話音量とを厳密な比例直線関係とする状態でもよいが、単に音量レベルが増えたときに適宜に受話音量を大きくする程度のものでもよい。
【００２１】
続いて、図３に、図１のカラオケ演奏装置のブロック構成図を示す。図３において、カラオケ演奏装置２２は、処理回路基板で構成される処理装置４１に対して、増幅手段であるミキシングアンプ４２および当該ミキシングアンプ４２に所定数のマイク４３とスピーカ４４が接続されると共に、操作パネル４５、表示手段４６および楽曲ＤＢ（データベース）４７が信号線により接続され、無線式で遠隔入出力端末４８が接続される。
【００２２】
上記ミキシングアンプ４２は、マイク４３より入力した歌唱者の歌唱音声と、後述の音楽曲出力手段より送られてくる演奏対象の楽曲をミキシングし、増幅してスピーカ４４より出力させる。上記操作パネル４５は、演奏楽曲、歌唱音声に対する種々の調節を行うボタンやツマミ類が可変抵抗器等の電子素子に直結されたもので、エコーや左右バランス、スピーカ４４からの出力音量のボリウム等を備える。上記表示手段４６は、映像データ（歌詞映像データ、背景映像データ等）を表示させることを基本的機能とするもので、例えば、ブラウン管（ＣＲＴ）ディスプレイ、液晶ディスプレイ（ＬＣＤ）、プラズマディスプレイ（ＰＤＰ）等がある。
【００２３】
上記楽曲ＤＢ４７は、例えばハードディスク（ＨＤＤ）等の記憶装置であり、少なくとも、楽曲元データ（ファイル）、楽曲コード（テーブル）および映像データ（ファイル）を備える。楽曲元データ（ファイル）は、楽曲コード毎にデジタル的な楽曲データおよび演奏時間を保存するもので、当該楽曲（ファイル）コードは楽曲コードと楽曲名が関連付けられている。映像データ（ファイル）は、楽曲（コード）に対応した歌詞映像データおよび背景映像データを保存する。
【００２４】
上記遠隔入出力端末４８はＧＵＩ機能を付帯し、例えば液晶ディスプレイ（ＬＣＤ）とタッチセンサとを積層した入出力用の利用者インタフェースが搭載され、当該タッチセンサにより楽曲の選択などのデータを入力することができるものである。
【００２５】
一方、処理装置４１は、上述のように処理回路基板で構成され、バス５１、制御手段５２、ＲＡＭ５３、楽曲検索手段５４、音楽曲出力手段５５、操作設定手段５６、信号出力手段５７、再生制御手段５８および送受信手段５９を適宜備え、外部端子６０を備える。上記制御手段４２は、このシステムを統括的に制御するもので、例えば物理的なＣＰＵに制御のためのプログラムが格納され、当該プログラムはＲＡＭ５３等に展開されて実行される。当該ＲＡＭ５３は、種々のプログラムを展開、実行させるための作業領域としての役割をするものであり、例えば半導体メモリで構成され、仮想的にハードディスク上に構築される場合をも含む概念である。
【００２６】
上記楽曲検索手段５４は、例えば新曲、歌手名、曲名、ジャンルおよび履歴のそれぞれについて、上記楽曲ＤＢ４７に記憶されている楽曲を検索するためのもので、そのためのプログラムがＲＡＭ５３に展開されて実行される。上記音楽曲出力手段５５は、楽曲ＤＢ４７より抽出された楽曲の楽曲元データをデジタル再生し、アナログ変換してミキシングアンプ４２に出力すると共に、デジタル再生した当該楽曲のデジタル信号をミキシングアンプ４２への出力タイミングで信号出力手段５７に送出するもので、そのためのプログラムがＲＡＭ５３に展開されて実行される。
【００２７】
上記操作設定手段５６は、操作パネル４５における音量出力のボリウム等で設定された種々の設定値に基づいてミキシングアンプ４２の設定を制御すると共に、このうちの上記ボリウムで設定された音量レベル信号を信号出力手段５７に送出するもので、そのためのプログラムがＲＡＭ５３に展開されて実行される。当該信号出力手段５７は、音楽曲出力手段５５より演奏楽曲の上記デジタル信号が送られてこない場合（演奏楽曲のスピーカ無出力時）には無調整信号を外部端子６０に出力し、当該デジタル信号が送られてきている場合（演奏楽曲のスピーカ出力時）には上記操作設定手段５６より送出されてきた音量レベル信号を外部端子６０に出力するもので、そのためのプログラムがＲＡＭ５３に展開されて実行される。
【００２８】
外部端子６０に出力される上記無調整信号または音量レベル信号は、音楽曲出力手段５５から入力されるデジタル信号の有無ごと、当該デジタル信号出力時の音量調整ボリウムの操作ごとに反映される。なお、上記無調整信号とは、例えば上記音量調整ボリウムで操作される音量レベルの最低レベルまたはゼロレベルの信号をいうものであるが、当該音量レベル信号と区別することができれば足りる。
【００２９】
上記再生制御手段５８は、上記遠隔入出力端末４８に種々の表示をさせるための映像を後述の送受信手段５９を介して出力すると共に、選択された楽曲コードに対応した映像データを当該楽曲に同期させて表示手段４６に出力するもので、そのためのプログラムがＲＡＭ５３に展開されて実行されるものである。
【００３０】
次に、図４に、図３のカラオケ演奏装置による受話音量調整のための信号出力の処理フローチャートを示す。図４において、カラオケ演奏装置の信号出力手段５７は、まず、操作設定手段５６より操作パネル４５からの音量調整ボリウムの操作に応じて音量レベル信号を入力する（ステップ（Ｓ）１）。そこで、信号出力手段５７は、音楽曲出力手段５５より演奏楽曲のデジタル信号が入力されていなければ（Ｓ２）、無調整信号を外部端子６０に出力する（Ｓ３）。一方、音楽曲出力手段５５より演奏楽曲のデジタル信号が入力されると（Ｓ２）、上記操作設定手段５６より入力した音量レベル信号を外部端子６０に出力するものである（Ｓ４）。
【００３１】
続いて、図５に、ルームインターホンの受話音量可変の処理フローチャートを示す。図５のルームインターホン側の処理は、受話音量設定の処理（図５（Ａ））と、送受話に関する処理（図５（Ｂ））とに分けられる。まず、図５（Ａ）において、前提としてカラオケ演奏装置２２の外部端子６０には上述のように無調整信号または上記操作パネル４５のボリウムで設定された音量レベル信号が出力されており、当該外部端子６０にルームインターホン２３の外部入力端子４０Ａが接続されている。
【００３２】
すなわち、受話音量設定回路３９には、ＩＦ回路４０を介してカラオケ演奏装置２２からの無調整信号または音量レベル信号が入力されており（Ｓ１１）、入力されている信号が無調整信号の場合には、当該受話音量調整回路３９は予め設定してある基準増幅利得のレベル信号を生成して制御回路３１に出力する（Ｓ１２）。制御回路３１では、当該基準増幅利得のレベル信号に基づいて利得設定信号を生成して増幅回路３２に出力する。
【００３３】
一方、入力されている信号が音量レベル信号の場合には、当該受話音量調整回路３９は当該音量レベル信号に比例した受話音量を設定するレベル信号を生成して制御回路３１に送出する（Ｓ１３）。当該制御回路３１においては、当該レベル信号に基づいて利得設定信号が生成されて増幅回路３２に送出することで、当該増幅回路３２の利得が当該音量レベル信号に比例して設定されるものである。
【００３４】
上記音量レベル信号は、カラオケ演奏装置２２において音量調整ボリウムの変更に際して上記音楽曲出力手段５５よりデジタル信号の出力のときにのみ外部端子６０に反映されるもので、これに応じてルームインターホン２３における受話音量設定回路３９および制御回路３１においても実時間で比例した利得設定信号が増幅回路３２に送出されて受話音量の大小に反映されるものである。なお、上述のように、ルームインターホン２３において、入力した音量レベル信号のレベル値を受話音量設定回路３９に記憶させ、次に変更された音量レベル信号を入力したときに更新させることとしてもよい。
【００３５】
そこで、図５（Ｂ）において、例えば管理ルーム１２の管理側インターホン２１よりインターホン通信網１４を介して当該ルームインターホン２３に呼び出しがあると（Ｓ２１）、通信回路３３を介して入力される呼出信号に基づいて制御回路３１が増幅回路３２に呼出音出力信号を送出して呼出音を呼出用スピーカ３４より出力させる（Ｓ２２）。これに応じてルームインターホン２３の送受話器３５が取られて送受話フックがスイッチングすることで通話可能となる（Ｓ２３）。
【００３６】
通話状態では、受信した音声信号が通信回路３３および制御回路３１を介して増幅回路３２に入力されたときに（Ｓ２４）、当該増幅回路３２では、上記カラオケ演奏装置２２より入力した無調整信号に応じた利得で、または音量レベル信号に比例した利得で増幅度が設定されていることから、これに応じた音量で当該音声信号を送受話器３５の受話スピーカ３６より再生するものである（Ｓ２５）。
【００３７】
このように、カラオケルーム１３内で再生されている音量の如何に関わらず通話性を向上させることができ、新たにセンサや検出回路を設けることなく既存の設備の範囲内で適用することができ、安価に構成させることができるものである。
【００３８】
ところで、カラオケ演奏装置２２における演奏楽曲の再生音量の調節は、操作パネル４５の他に、遠隔入出力端末４８からでも行うことが可能であるが、この場合においても当該音量調節の音量レベル信号は送受信手段５９を介して操作設定手段５６に入力させることとすれば同様に行うことができるものである。
【００３９】
また、上記実施形態では、カラオケ演奏装置２２の外部端子６０と、ルームインターホン２３の外部入力端子４０Ａとを信号線により接続させた場合を示したが、無線方式によっても接続することができるもので、例えばカラオケ演奏装置２２の外部端子６０に送信機を接続し、ルームインターホン２３の外部入力端子４０Ａに受信機を接続すればよい。特に、信号線を引き廻すことが困難な場合に有効である。
【産業上の利用可能性】
【００４０】
本発明のカラオケ施設のインターホンシステムは、管理ルームと歌唱ルーム間、歌唱ルーム同士でインターホンにより送受話を行う場合に適する。
【図面の簡単な説明】
【００４１】
【図１】本発明に係るカラオケ施設のインターホンシステムにおける全体構築の構成図である。
【図２】図１のルームインターホンのブロック構成図である。
【図３】図１のカラオケ演奏装置のブロック構成図である。
【図４】図３のカラオケ演奏装置による受話音量調整のための信号出力の処理フローチャートである。
【図５】ルームインターホンの受話音量可変の処理フローチャートである。
【符号の説明】
【００４２】
１１            インターホンシステム
１２            管理ルーム
１３            カラオケルーム
１４            インターホン通信網
２１            管理側インターホン
２２            カラオケ演奏装置
２３            ルームインターホン
３１            制御回路
３２            増幅回路
３５            送受話器
３６            受話スピーカ
３９            受話音量設定回路
４０Ａ          外部入力端子
４１            処理装置
４２            ミキシングアンプ
４４            スピーカ
４５            操作パネル
６０            外部端子
【図１】
2006339828.tif 000003
【図２】
2006339828.tif 000004
【図３】
2006339828.tif 000005
【図４】
2006339828.tif 000006
【図５】
2006339828.tif 000007